(57)【要約】      （修正有）【課題】簡単に着脱でき、着用時の快適性を阻害しない和装用下着の提供。【解決手段】和装用下着は、腰回り寸法より大きな衿開口部７をもつ上身頃と、２枚の左右下身頃により２箇所の開放部８を形成した下身頃とを腰部６で接ぎ合わせた上下一体型、あるいは、２枚の左右下身頃により２箇所の開放部を形成した下身頃単体の和装用下着。【選択図】図１
0003139769.tif 000002
【実用新案登録請求の範囲】
【請求項１】
腰回り寸法より大きな衿開口部をもつ上身頃と、２枚の左右下身頃により２箇所の開放部を形成した下身頃とを腰部で接ぎ合わせた、上下一体型の和装用下着。
【請求項２】
前記左右下身頃は腰部で前後各々１５〜３０ｃｍ重ねて接ぎ合わせたものである請求項１記載の上下一体型の和装用下着。
【請求項３】
前での重ね接ぎ合わせが、右下身頃が着用者側となるように重ねられたものである請求項２に記載の上下一体型の和装用下着。
【請求項４】
２枚の左右身頃により２箇所の開放部を形成し、該左右身頃を腰部で前後各々１５〜３０ｃｍ重ねて接ぎ合わせ、腰部に固定するための係止具を有した、腰から下のみの和装用下着。
【請求項５】
前での重ね接ぎ合わせが、右下身頃が着用者側となるように重ねられたものである請求項４に記載の腰から下のみの和装用下着。
【考案の詳細な説明】
【技術分野】
【０００１】
本考案は簡単に着脱でき、着用時の動きを阻害しない和装用下着に関する。
【背景技術】
【０００２】
従来、和装品を着装するときは、上半身に肌着、下半身に裾除けを着装し、その上に長襦袢、着物という順序で着装していく。着装する時や着用中に着崩れすることもあり、着物着用機会逸脱の一因でもあった。
【０００３】
一方、和装用下着の従来技術としては、肌襦袢と裾除けを一体的に形成した和装用下着として、きものシステム下着（特許文献１）や上下別方向に伸縮するストレッチ布を腰部で縫合した和装用下着（特許文献２）、また、編地を上部に、織地を下部に使い、腰部で一体化したゆかたインナー（特許文献３）が提案されている。ただし、いずれも下身頃は筒型か開放部を１箇所もつものであり、着用時の動きに追随しづらいものであった。特にトイレに行く時には着物、長襦袢、裾除けをたくしあげる必要があり、その時に裾除けが身体の一部あるいは着物と長襦袢の厚みやしわが抵抗となり、たくしあげづらかった。
【特許文献１】特開２００５−２９０６３２号公報
【特許文献２】実用新案登録第３０４１４３２号公報
【特許文献３】実用新案登録第３１０７５６７号公報
【考案の開示】
【考案が解決しようとする課題】
【０００４】
本考案は、簡単に着脱でき、着用時の快適性を阻害しない和装用下着を提供することにある。
【課題を解決するための手段】
【０００５】
本考案のうちの第１の考案は、腰回り寸法より大きな衿開口部をもつ上身頃と、２箇所の開放部形成した２枚の左右下身頃によりなる下身頃を腰部で接ぎ合わせた、上下一体型の和装用下着である。
【０００６】
本考案のうちの第２の考案は、２枚の左右身頃により２箇所の開放部を形成し、該左右身頃を腰部で前後各々１５〜３０ｃｍ重ねて接ぎ合わせ、腰部に固定するための係止具を有した、腰から下のみの和装用下着である。
【考案の効果】
【０００７】
本考案によれば、簡単に着脱でき、着用時の動きを阻害しない和装用下着を得ることができる。
【考案を実施するための最良の形態】
【０００８】
以下、本考案の和装用下着について、一態様を示す図面を参照しつつ詳細に説明する。
【０００９】
図１は、本考案のうちの第１の考案の和装用下着の一態様を示す正面図、図２は本考案のうちの第１の考案の和装用下着の下身頃の拡大模式図、図３は本考案のうちの第２の考案の一態様の正面図である。
【００１０】
本考案の和装用下着に使用する素材については特に制限はなく、絹や綿、麻等の天然繊維でもレーヨン、キュプラ、アセテート、ポリエステル等の化学繊維でもよいし、それらの混合素材でも適用できる。着用時のムレ感解消の点では、繊維自身に吸湿性をもつものが好ましいが、吸湿性を持たない繊維の場合は、後加工で吸湿性を付与してもかまわない。また使用する素材は、織物、編物どちらでもよいが、編物は着脱しやすいし、着用時の身体の動きに追随するので、より好ましい。
【００１１】
本考案のうちの第１の考案の和装用下着は、腰回り寸法より大きな衿開口部を持つ上前身頃２，上後身頃３と、２枚の左右下身頃１により図１のように構成される上下一体型の和装用下着である。
【００１２】
上身頃の衿開口部７の周径を着用者の腰回り寸法より５〜１０ｃｍ程度大きくすることにより、頭からかぶって着用する時でも、足から挿入して上に引き上げる着方をする時でも、髪型を崩さずに簡単に着用することができるため好ましい。  上身頃に伸度のある編地を使用した場合では、衿開口部７を軽く引っ張った状態で上記ゆとり寸法がふくまれていることが好ましい。
【００１３】
和装品の着装時には洋装とは違った髪型をすることが常で、概ね洋装よりもふくらみのある大きな髪型にセットすることが多いし、大きな装飾具をつけることも和装の特徴である。通常、着物を着る前に髪型をセットすることが大半なため、本考案のように着脱しやすい下着を着用することが好ましい。
【００１４】
本考案のうちの第１の考案の下身頃は２枚の左右下身頃により構成され、図１に示すように左右下身頃は、左右脇線４から２枚の下身頃１を挟み込むようにして仕上げ、腰部６で上身頃２、３と接ぎ合わせ上下一体型とすることにより、さらに簡単に着脱することができる。従って、下身頃１は正面と背面に開放部をもつこととなり、足の動きを阻害せず、いわゆる裾さばきに優れたものとなる。２枚の下身頃１は図２の５に示すように腰部６で１５〜３０ｃｍ重ね合わせて挟み込み、腰部で接ぎ合わせることが好ましい。本考案のような重なりが０ｃｍ〜１５ｃｍ以下の場合、着用している時に足が見えたり、動くと下身頃が突っ張れて動きを阻害したり、力がかかると縫目の破損をまねくことにもなった。加えて、下身頃１の拘束力が小さいため、収まりが悪く、その上に着る長襦袢や着物に余分なシワが入ることにもなり、着心地が悪かった。
【００１５】
一方、該下身頃の重ね合わせを３０ｃｍ以上にすると、下身頃の大部分が二重になり、裾さばきが悪いだけでなく、トイレに行く時でもたくしあげづらく、不快な思いをすることとなった。
【００１６】
下身頃の重ね方は図２に示すように左右から挟み込むが、この時注意しなければいけないことは、前面では必ず右脇に近い場所に開放部を設けることである。和装品は全て左身頃が右身頃の上になるように重ね、すなわち右脇近辺が開放部となるように着装する決まり事となっている。間違って右身頃を上にして着装すると、死装束の着装となり忌み嫌われる。従って、着物の下に着用する裾除けや襦袢も全て左身頃が上になるように着装しなければならない。
【００１７】
後身頃の開放部の位置は、後中央でも左右脇線近くでもデザインにより変更することは可能であるが、好ましくは、後中心から左右２０ｃｍ近傍に設置することが動作性においてより好ましい。後身頃での左右身頃の重ね方はどちらが着用者側になっても効果、美観共に影響がないため、どちらでもよい。
【００１８】
本考案のうちの第２の考案は、２枚の左右身頃により２箇所の開放部を形成し、該左右身頃を腰部で前後各々１５〜３０ｃｍ重ねて接ぎ合わせ、腰部に固定するための係止具を有した、腰から下のみ（下身頃のみ）の和装用下着である。２枚の左右身頃により２箇所の開放部を形成し、該左右身頃を腰部で前後各々１５〜３０ｃｍ重ねて接ぎ合わせた点においては、本考案のうちの第１の考案の下身頃の部分と共通するものである。本考案うちの第２の考案においては、図３に示すように、重ね合わせた身頃の腰部６の上部、すなわち腰部周辺に身頃を腰部に固定するための紐やゴムなどの係止具９をつけることが好ましい。これにより、簡便に着脱できる下身頃のみの和装用下着を得られる。通常、裾除けと称する下身頃のみの和装用下着は、生地を身体に巻き付け、その両端に付設した紐や面ファスナーで係止するが、着用時締め付け感があるし、着用している間に弛んだり、着崩れしたりして着心地が悪かった。本考案うちの第２の考案の和装用下着は最初から２枚の重ね合わせ部分があり、無理に締め付ける必要もなく、腰部上辺を内側に折り返し、その中にゴムや伸度をもつ紐等を挿入することにより、着脱しやすく、着用時の着崩れもおこりにくくなるため、より好ましい。
【実施例】
【００１９】
以下、本考案の和装用下着について実施例および比較例をあげてさらに具体的に説明する。
【００２０】
実施例１
上身頃に伸縮性の高い編地を用い、下身頃には伸縮性の低いトリコット編地を使い和装用下着を作製した。上身頃の衿ぐりは前後合計で９０ｃｍとなるように設定し、下身頃は２枚のトリコット編地を用い、前下身頃は前中心から１５ｃｍ右脇線寄りと、後下身頃は後中心線上、合計２カ所に開放部ができるよう、なおかつ２枚の開放部は２０ｃｍの重なりを持つよう重ね合わせ、上身頃と腰部で縫い合わせて上下一体型の和装用下着を得た。
【００２１】
この和装用下着を着用してその上に長襦袢、着物を着用して出かけたところ、裾さばきが良く動きやすく、また長時間着用しても着崩れしなかった。
【００２２】
実施例２
吸湿加工を施したナイロン１００％織物を使って左右２枚の下身頃を裁断し、前身頃は前中心から１５ｃｍ右脇線寄り、後身頃は後中心から１０ｃｍ左脇線よりに開放部ができるよう、なおかつ２枚の開放部は２５ｃｍの重なりを持つよう重ね合わせ、腰部で一体化し、上辺に伸縮性を有したゴムを通した下身頃のみの和装用下着を得た。
【００２３】
下半身には、この和装用下着を、上半身には洋装でも着用できるキャミソールを着用し、その上に浴衣を着用して出かけたところ、裾さばきが良く、また長時間着用しても着崩れしなかった。
【００２４】
比較例１
上身頃、下身頃ともに伸縮性の低いトリコット編地を使い和装用下着を作製した。構成は、上身頃から下身頃まで連続した形状で、身体に巻き付けて２０ｃｍ程度重ねて左右の端面を紐で固定するようにしたもので、この和装用下着を着用してその上に長襦袢、着物を着用して出かけたところ、歩いている間に紐が弛んできて着崩れした。また、トイレに行く時、裾をたくし上げるのに時間がかかり大変困った。
【産業上の利用可能性】
【００２５】
本考案の和装用下着は、腰回り寸法より大きな衿開口部をもつ上身頃と、２枚の左右下身頃により２箇所の開放部を形成した下身頃とを腰部で接ぎ合わせた上下一体型の和装用下着、または、２枚の左右身頃により２箇所の開放部を形成し、該左右身頃を腰部で前後各々１５〜３０ｃｍ重ねて接ぎ合わせ、腰部に固定するための係止具を有した、腰から下のみの和装用下着であり、簡単に着脱でき、着用快適性、特に着用時の動きを阻害しない和装用下着として利用価値が大きいものである。
【図面の簡単な説明】
【００２６】
【図１】本考案のうちの第１の考案の和装用下着の一態様を示す正面図である。
【図２】本考案のうちの第１の考案の和装用下着の左右下身頃の拡大模式図である。
【図３】本考案のうちの第２の考案の和装用下着の一態様を示す正面図である。
【符号の説明】
【００２７】
１：下身頃（身頃）
２：上前身頃
３：上後身頃
４：脇線
５：左右下身頃の重なり
６：腰部
７：衿開口部
８：開放部
９：係止具
【図１】
0003139769.tif 000003
【図２】
0003139769.tif 000004
【図３】
0003139769.tif 000005